(57)【要約】【課題】着脱が容易である上にベッドへの固定を強固に行うことができるものとする。【解決手段】ベッドのフレームに形成された固定孔に差し込まれる複数本の脚部１１に設けた拡径部１２と、上記拡径部１２の外径を変化させるための操作部５とを備える。拡径部ははその拡径によって上記固定孔内面に接するものであり、上記操作部は複数本の脚部に夫々設けられた拡径部の外径を同時に変化させる。【選択図】図１
2014064643.tif 000002
【特許請求の範囲】
【請求項１】
ベッドのフレームに形成された固定孔に差し込まれる複数本の脚部に設けた拡径部と、上記拡径部の外径を変化させるための操作部とを備え、上記拡径部はその拡径により上記固定孔内面に接するものであり、上記操作部は、複数本の脚部に夫々設けられた拡径部の外径を同時に変化させるものであることを特徴とするベッド用側柵の固定構造。
【請求項２】
上記拡径部はその拡径方向が少なくともベッドの長手方向と直交する方向であることを特徴とする請求項１記載のベッド用側柵の固定構造。
【請求項３】
上記拡径部は、上記脚部の傾斜面となっている下端面に接する傾斜面を上面に備えている斜め臼であり、上記操作部はこの斜め臼を上下に移動させるものであることを特徴とする請求項１または２記載のベッド用側柵の固定構造。
【請求項４】
上記複数本の脚部が夫々斜め臼を備えるとともに、斜め臼の傾斜面の傾斜方向が１８０°逆であることを特徴とする請求項３記載のベッド用側柵の固定構造。
【請求項５】
上記操作部は、ベッド利用者の頭部寄りとなる縦桟付近に配置されていることを特徴とする請求項１〜４のいずれか１項に記載のベッド用側柵の固定構造。
【請求項６】
ベッドのフレームに形成された固定孔に差し込まれる複数本の脚部に設けた拡径部と、上記拡径部の外径を変化させるための操作部とを備えるとともに、操作部の回転によって軸方向移動を行う傾斜カムと、傾斜カムの軸方向移動で上下動を行う連結軸とを備え、上記拡径部は上記連結軸の上下動で拡径して上記固定孔内面に接するものであることを特徴とするベッド用側柵の固定構造。
【請求項７】
ベッドのフレームに形成された固定孔に差し込まれる複数本の脚部に夫々設けた拡径部と、上記拡径部の外径を変化させるための操作部とを備えるとともに、操作部の回転によって軸方向移動を行う傾斜カムと、傾斜カムの軸方向移動で上下動を行う複数本の連結軸とを備え、各連結軸の上下動で拡径して上記固定孔内面に接する上記の各拡径部は、連結軸への上下方向固定位置が調整自在となっていることを特徴とするベッド用側柵の固定構造。
【請求項８】
請求項１〜７のいずれか１項に記載のベッド用側柵の固定構造で固定された側柵を備えていることを特徴とするベッド。
【発明の詳細な説明】
【技術分野】
【０００１】
本発明は、ベッドに着脱自在に取り付けられるベッド用側柵の固定構造及びこの固定構造で固定された側柵を備えるベッドに関するものである。
【背景技術】
【０００２】
介護用に用いられるベッドでは、利用者のベッドからの転落を防ぐために、ベッドのフレームに側柵が取り付けられる。また、上記側柵を固定柵とこの固定柵に対して回転自在な回転柵とで構成し、利用者がベッドから離れる時には回転柵を回転させることで、側柵が邪魔にならないようにすることができるようにしたものが提供されている。
【０００３】
ここにおいて、ベッドから利用者が離れる時、固定柵に対して回転させた回転柵を利用者が掴んで立ち上がったりするために、固定柵のベッドへの固定が強固になされていないと、側柵ががたついてしまうことになる。
【０００４】
一方で、介護サービスにあたっては、上記側柵を取り外して介護を行うことが多々あるために、側柵は簡便に着脱できるようにしておく必要がある。
【０００５】
このために特許文献１では、操作部を回転操作すれば、ベッドのフレームの固定孔に差し込まれた２本の脚部が固定孔内で傾いて側柵の固定を行うものが提案されている。
【０００６】
ところで、側柵における回転柵を９０°開いた状態で利用者が回転柵を掴んで体重をかけた時、固定柵にはベッドの長手方向と直交する方向に強い力が加わることになる。
【０００７】
しかし、上記特許文献１に示されたものでは、２本の脚部の傾き方向がベッドの長手方向と同じとなっており、このために上記強い力が側柵に加わった時、側柵ががたつくことになる。
【先行技術文献】
【特許文献】
【０００８】
【特許文献１】特開２００２−１３６５５５号公報
【発明の概要】
【発明が解決しようとする課題】
【０００９】
本発明は上記問題に鑑みてなされたもので、着脱が容易である上にベッドへの固定を強固に行うことができるベッド用側柵の固定構造及びベッドを提供することを課題とする。
【課題を解決するための手段】
【００１０】
本発明にかかるベッド用側柵の固定構造は、ベッドのフレームに形成された固定孔に差し込まれる複数本の脚部に設けた拡径部と、上記拡径部の外径を変化させるための操作部とを備え、上記拡径部はその拡径により上記固定孔内面に接するものであり、上記操作部は、複数本の脚部に夫々設けられた拡径部の外径を同時に変化させるものであることに特徴を有している。
【００１１】
上記拡径部はその拡径方向が少なくともベッドの長手方向と直交する方向であることが好ましい。
【００１２】
また、上記拡径部は、上記脚部の傾斜面となっている下端面に接する傾斜面を上面に備えている斜め臼であり、上記操作部はこの斜め臼を上下に移動させるものを好適に用いることができる。
【００１３】
上記複数本の脚部が夫々斜め臼を備えるとともに、斜め臼の傾斜面の傾斜方向が１８０°逆であることも好ましい。
【００１４】
さらに、上記操作部は、ベッド利用者の頭部寄りとなる縦桟付近に配置されていることが好ましい。
【００１５】
また本発明は、ベッドのフレームに形成された固定孔に差し込まれる複数本の脚部に設けた拡径部と、上記拡径部の外径を変化させるための操作部とを備えるとともに、操作部の回転によって軸方向移動を行う傾斜カムと、傾斜カムの軸方向移動で上下動を行う連結軸とを備え、上記拡径部は上記連結軸の上下動で拡径して上記固定孔内面に接するものであることに特徴を有している。
【００１６】
さらに本発明は、ベッドのフレームに形成された固定孔に差し込まれる複数本の脚部に夫々設けた拡径部と、上記拡径部の外径を変化させるための操作部とを備えるとともに、操作部の回転によって軸方向移動を行う傾斜カムと、傾斜カムの軸方向移動で上下動を行う複数本の連結軸とを備え、各連結軸の上下動で拡径して上記固定孔内面に接する上記の各拡径部は、連結軸への上下方向固定位置が調整自在となっていることに特徴を有している。
【００１７】
そして本発明に係るベッドは、上記のベッド用側柵の固定構造で固定された側柵を備えていることに特徴を有している。
【発明の効果】
【００１８】
本発明においては、脚部が備える拡径部がその径を拡大して固定孔内面に接することで固定を行うものである上に、操作部の操作で複数本の脚部に夫々設けられた拡径部の外径を同時に変化させるために着脱が容易であり、そして拡径によって固定されるものであるために、ベッドの利用者が側柵を掴んで立ち上がったりする際に側柵に働く強い力に対抗することができて、側柵のがたつきを抑えることができる。
【図面の簡単な説明】
【００１９】
【図１】本発明の実施の形態の一例の断面図である。
【図２】同上の斜視図である。
【発明を実施するための形態】
【００２０】
以下本発明を図示の実施例に基づいて詳述すると、図２は本発明にかかる固定手段を備えたベッド用側柵の全体を示しており、ベッド（図示せず）に固定される固定柵１の長手方向端部に回転柵２を回動自在に連結したものとして構成されている。
【００２１】
上記固定柵１は、下方に突出する２本の脚部１１，１１をベッドのフレームに設けた固定孔に差し込み、固定柵１に設けた操作部５を操作することで各脚部１１の下端に設けた斜め臼１２を引き上げることで上記フレームに固定する。
【００２２】
前記回転柵２は、その一側端の上下２カ所が固定柵１に対して鉛直軸回りに回転自在に取り付けられたもので、下方側の取り付け部に固定柵１が備える支持体６に配した操作レバー３の操作により、固定柵１に対する回転柵２の回動についてのロックがなされる。図中４は操作レバー３の不用意な操作を避けるためのロックレバーである。なお、回転柵２の回転についてのロック構造についてはここでは省略する。
【００２３】
固定柵１が備える２本の縦桟１５，１５は、各下端に前記脚部１１を備えている。また、両縦桟１５，１５間には、回転軸５０が架設されている。この回転軸５０は、図１に示すように、両端にナット５１，５１を一体に備えており、また一端側には操作部５が装着され、他端にはカバー部５６が装着されている。これら操作部５及びカバー部５６も、回転軸５０と一体となっており、回転軸５０をその軸回りに回転させる時、操作部５とカバー部５６及びナット５１も回転する。
【００２４】
そして上記回転軸５０は中空に形成されており、各ナット５１には、夫々ねじ軸５２が螺合している。両ねじ軸５２，５２は、先端に傾斜カム５３を備えたもので、縦桟１５に対して回り止めされている。そして、一方のねじ軸５２とこれに螺合するナット５１は、他方のねじ軸５２とこれに螺合するナット５１に対して逆ねじで構成されている。このために、回転軸５０を一方向に回転させる時、両ねじ軸５２，５２は回転軸５０からの突出量を夫々増大させ、回転軸５０を他方向に回転させる時、両ねじ軸５２，５２は回転軸５０からの突出量を夫々減少させる。
【００２５】
前記縦桟１５とその下端に連続する脚部１１内には、連結軸７が上下動自在に配されている。下端に斜め臼１２が固定された連結軸７は、その上部に上記傾斜カム５３の傾斜面に接するピン７０を備え、上端に縦桟１５の内面に接する振れ止めピン７２を備えている。
【００２６】
今、操作部５を操作することで回転軸５０を上記一方向に回転させたならば、回転軸５０からの突出量を増大させるねじ軸５２の先端の傾斜カム５３は、連結軸７のピン７０を介して連結軸７を引き上げる。
【００２７】
連結軸７の下端に設けられた斜め臼１２は、その上端面が傾斜面となっており、脚部１１の傾斜面となっている下端面に接している。このために連結軸７が上方に引き上げられる時、斜め臼１２は上記傾斜面に沿って移動することで側方にも移動し、脚部１１を拡径させることになる。従って、ベッドのフレームの固定孔に脚部１１及び斜め臼１２が差し込まれている時、上記拡径により、固定柵１はベッドのフレームに固定されることになる。図１中の７４は脚部１１と縦桟１５との境界部に配されているとともに、固定孔上端面のテーパ面に当接する傾斜面を備えた取付座である。
【００２８】
操作部５及び回転軸５０を他方向に回転させたならば、ねじ軸５２が回転軸５０内に引き込まれるために、斜め臼１２を下端に備えた連結軸７は自重で降下する。このためにフレームへの固定が解除される。
【００２９】
前述のように、回転軸５０の両端にねじ軸５２，５２を配して、２本の連結軸７、７を同時に昇降させるために、２箇所での固定及び固定解除を単一箇所の一操作で行うことができる。また、連結軸７への斜め臼１２の固定位置は、連結軸７下端のねじ部との螺合とロックナット１３とによって上下に調整が可能となっており、このために単一の操作で複数の拡径部を夫々拡径させるとはいえ、複数の拡径部での固定力を同じとすることができる。
【００３０】
また、本実施例では、２箇所での固定及び固定解除を単一の操作部５の操作で行えるようにしているものの、操作部５を回転軸５０の中央部ではなく、一端側（回転柵２から離れた方の縦桟１５付近）に配している。これは、ベッドのフレームに装着した時に、操作部５がベッド上の利用者の頭部寄りに位置して、上記利用者の手が触れにくい位置にくるようにしたものであり、このためにベッド上の利用者が不用意に操作部５に触れて固定解除の操作をしてしまうことがない。
【００３１】
ところで、ベッドの利用者は、ベッドへの出入りに際して側柵を掴むことが多々あり、特に固定柵１の長手方向端部に回転柵２を配している側柵では、回転柵２を９０°開いてベッドに出入りする。この時に回転柵２を掴めば、固定柵１にはその長手方向と直交する水平方向に強い力が加わることになる。
【００３２】
一方、拡径部としての斜め臼１２は拡径方向が限定されたものとであることから、図２から明らかなように、斜め臼１２の側方への移動方向を固定柵１の長手方向（ベッドの長手方向）と直交する方向としている。つまり、拡径方向を上記強い力が働くことになる方向に一致させている。このために、前述の水平方向の強い力が加わっても、固定柵１ががたつくのを抑えることができる。
【００３３】
また、図２から明らかなように、２つの斜め臼１２の側方への移動方向を１８０°逆にしているのは、固定柵１がベッドの左右のいずれの側に取り付けられるかが不定であることに鑑みたものである。
【００３４】
上記の実施例では、脚部１１を拡径させることによる固定を斜め臼１２の利用で行っているが、このほか、脚部１１の下端に割り溝を施すとともに、脚部１１の下端部内面に外面が接する円錐台状の臼を連結軸７の下端に取り付けて、この臼を引き上げることで脚部１１の下端部そのものを全周方向に拡径させるものであってもよい。
【００３５】
連結軸７下端部に設けた割溝内に入り込む楔を上下動させることで脚部１１そのものを拡径させるようにしてもよく、この場合、ベッドの長手方向と直交する方向に脚部１１が拡径するように割溝及び楔を配置することが好ましい。
【００３６】
また、操作部５の操作で連結軸７を上下動させて脚部１１を拡径させるものを示したが、連結軸７の下端にねじを形成して、このねじを斜め臼１２（あるいは上記臼や楔）に螺合させ、操作部５の回転で連結軸７をその軸回りに回転させれば、斜め臼１２（あるいは上記臼や楔）が上下に移動するように構成してもよい。
【００３７】
もっとも、操作部５の操作で回転軸５０を回転させて２つの連結軸７，７を共に動かすことで２カ所の拡径部を拡径させる場合、連結軸７を上下動させること、並びに拡径部として斜め臼１２を利用することがコスト的に有利であり、また使い勝手も良い。
【符号の説明】
【００３８】
１  固定柵
２  回転柵
５  操作部
１１  脚部
１２  斜め臼
【図１】
2014064643.tif 000003
【図２】
2014064643.tif 000004